(57)【要約】【課題】簡単な構造でもって、ツールボックスのハンドルに高級感を与えることを目的とする。【解決手段】第一殻体（１１）と、第一殻体に枢設された第二殻体（１２）と、その両端がそれぞれ接続ユニット（１５）を介して第一殻体に枢設されたハンドル（１３）と、ハンドル内に形成された収容空間（１３１）の内部に設けてあり、二つの接続ユニット（１５）の間を繋ぐ弾性体（１４）とを有する。弾性体の力によって二つの接続ユニット（１５）が引き寄せられて水平に倒されて、ハンドルが第一殻体に貼り付くように当接する。【選択図】図３
0003120740.tif 000002
【実用新案登録請求の範囲】
【請求項１】
ハンドルを備えたツールボックスにおいて、
第一殻体と、
前記第一殻体に枢設された第二殻体と、
その両端がそれぞれ接続ユニットを介して前記第一殻体に枢設されたハンドルと、
前記二つの接続ユニットの間を繋ぐ弾性体とよりなり、
前記弾性体の力によって前記ハンドルが前記第一殻体に貼り付くように当接する構成としたことを特徴とするツールボックス。
【請求項２】
請求項１に記載のツールボックスにおいて、
前記弾性体は、その両端に、それぞれ、一つの結合部を有する構成であり、
該結合部が前記接続ユニットの第一端に配置してある構成としたことを特徴とするツールボックス。
【請求項３】
請求項２に記載のツールボックスにおいて、
前記ハンドルは、その内部に一つの収容空間を有し、
前記弾性体は、前記ハンドルの前記収容空間内に収まっている構成としたことを特徴とするツールボックス。
【請求項４】
請求項３に記載のツールボックスにおいて、
前記ハンドルは、その両端に、前記収容空間と貫通するスライド溝を有し、
前記接続ユニットの第一端が滑動自在に前記ハンドルの前記スライド溝に配置してある構成としたことを特徴とするツールボックス。
【請求項５】
請求項４に記載のツールボックスにおいて、
前記ハンドルは、その外表面に、前記収容空間と貫通する貫通孔が形成してあり、
該貫通孔を通して前記収容空間の中の前記弾性体が見える構成としたことを特徴とするツールボックス。
【請求項６】
請求項５に記載のツールボックスにおいて、
前記弾性体は、前記ハンドルとは異なる色である構成としたことを特徴とするツールボックス。
【請求項７】
請求項６に記載のツールボックスにおいて、
前記ハンドルは、その外表面に、突出部が形成してあり、
前記弾性体が、前記突出部によって位置決めしてある構成としたことを特徴とするツールボックス。
【請求項８】
請求項７に記載のツールボックスにおいて、
前記接続ユニットは、その第二端が前記第一殻体に枢設してある構成としたことを特徴とするツールボックス。
【請求項９】
請求項８に記載のツールボックスにおいて、
前記第一殻体には、固定台座が固定してあり、
該固定台座でもって前記接続ユニットの第二端が枢設してある構成としたことを特徴とするツールボックス。
【請求項１０】
請求項９に記載のツールボックスにおいて、
前記第一殻体は、二つのロック台座を有し、
前記第二殻体は、前記第一殻体の前記ロック台座に対応する二つのロックユニットを有し、
前記第一殻体と前記第二殻体とがカバーのように相互にかぶせられる構成としたことを特徴とするツールボックス。
【考案の詳細な説明】
【技術分野】
【０００１】
本考案はツールボックスに係り、特に、自動にしっかりかけられるハンドルを持つツールボックスに関する。
［従来の技術］
【０００２】
図６は従来のツールボックスのハンドルを示す。ツールボックスの構造はツールボックス本体１にハンドル２が取り付けてある構成である。ハンドル２は、その両端が、それぞれロックリング３を経由して，ツールボックス本体１に固定してある接続薄片４に接続してある。
【０００３】
ハンドル２を持つことによって、ボックス本体１が提げて持ち運ばれる。
【考案の開示】
【考案が解決しようとする課題】
【０００４】
この従来の構造は実用から見ると，様々な欠点を有する。
【０００５】
ツールボックスが未使用状態の場合には、図７に示すように、ハンドル２が不安定の状態となる。つまり，ハンドル２が容易に揺らぎ動いて定まらないので、ハンドル２がツールボックス本体１に当たって、騒音が起きる。
【０００６】
ハンドル２が揺らぎ動くことによって発生する騒音が原因で、ユーザは、ツールボックスは廉価品と見ている。ツールボックス本体１にしっかりかけられないハンドル２のせいで，ツールボックスは外観的にも美観がないものであった。
【０００７】
この問題を解決するために、従来のツールボックス本体１に，他のロックユニット（図示せず）を追加してハンドル２をセットすることが考えられる。しかし、このようにした場合には、生産コストを増加するばかりでなく，ユーザがツールボックスを提げるときに、困ったと感じることになる。なぜならば、ツールボックスを置いておく場合に、ハンドル２をツールボックス本体１のロックユニットにかけなければならないからである。また、ツールボックス１を提げるときに、ハンドル２をロックユニットから外さなければならないからである。また、ハンドル２のロックユニットへの着脱の操作が面倒であった。
【０００８】
考案が解決しようとする課題は、次のことである。既知のツールボックスのハンドルが容易に揺らぎ動いて定まらないので，いつも騒音が出て来て，高い品質の設計だと言えない。ツールボックス本体にしっかりかけられないハンドルのせいで、ツールボックスの外観との一致性も相当に合わなくて、美観がない。他のロックユニットを追加すれば、生産コストを増加するばかりでなく、ユーザがそれを提げるときに、いつも困ったと感じる。また、ツールの範疇に、専業級のツールは通常、鉄製のツールボックスに放置し、それらの価値を顕す。ハンドルが鉄製を採用した場合には、運搬しているうちに、ツールボックスの塗装の表面に当たると、いつも塗装を損壊し、ツールボックスの外観と素地感じに悪い影響を及ぼしてしまう。
【０００９】
そこで、本考案は上記欠点を解決したツールボックスを提供することを目的とする。
【課題を解決するための手段】
【００１０】
本考案は、ハンドルを備えたツールボックスにおいて、
第一殻体と、
前記第一殻体に枢設された第二殻体と、
その両端がそれぞれ接続ユニットを介して前記第一殻体に枢設されたハンドルと、
前記二つの接続ユニットの間を繋ぐ弾性体とよりなり、
前記弾性体の力によって前記ハンドルが前記第一殻体に貼り付くように当接する構成としたことを特徴とする。
【考案の効果】
【００１１】
ハンドルが第一殻体に貼り付くように当接する状態となっていることによって、ハンドルが揺れ動かないように出来る。また、ロックを解除する操作を行なうことなく、ハンドルを掴んで持つことによって、ツールボックスを提げて持ち運ぶことが出来る。
【考案を実施するための最良の形態】
【００１２】
以下、本考案を実施するための最良の形態について説明する。
【実施例】
【００１３】
図１は本考案のツールボックスの立体外観を示し、図２は図１のツールボックスのハンドルの部分を示す。図１及び図２に示すように、ツールボックス１０は、主に、第一殻体１１と、第一殻体１１に枢設された第二殻体１２と、第一殻体１１に取り付けられたハンドル１３と、ハンドル１３の内部に設けられた弾性体１４とを有する。弾性体１４のばね力によって、ハンドル１３は、図３に示すように、自動的に、第一殻体１１に貼りつくように当接させられる。
【００１４】
図１に示すように、第一殻体１１の片側に二つのロック台座１１１が設けてある。第二殻体１２は第一殻体１１に枢設してある。この第二殻体１２の片側に、第一殻体１１のロック台座１１１に対応する二つのロックユニット１２１が設置してある。それで、二つのロックユニット１２１を二つのロック台座１１１に掛けると、二つの殻体１１，１２がカバーのように，相互にかぶせられる。
【００１５】
ハンドル１３は第一殻体１１に設けられており、しかも、自動的に、しっかり第一殻体１１に当接している。
【００１６】
ハンドル１３の中に、一つの収容空間１３１を有する。ハンドル１３の両端には、横方向に沿って延伸するように、収容空間１３１と相互に貫通するスライド溝１３２が形成してある。ハンドル１３の外表面には、突出部１３３が形成してある。この突出部１３３の中に、収容空間１３１と相互に貫通する貫通孔１３４が形成してある。
【００１７】
ハンドル１３の両端は、それぞれ接続ユニット１５を介して、第一殻体１１に枢設してある。各接続ユニット１５は、第一端１５１及び第二端１５２を有する。第一端１５１は自在に滑るように、ハンドル１３のスライド溝１３２に配置してある。接続ユニット１５の第二端１５２は第一殻体１１に枢設してある。第一殻体１１には接続ユニット１５の第二端１５２に対応して，固定台座１６が固定してある。固定台座１６は接続ユニット１５の第二端１５２を枢設している。
【００１８】
弾性体１４は、ハンドル１３の中に設けてあり、ハンドル１３を自動的にしっかり第一殻体１１に寄せてこれに貼りつくように当接させる力を提供する。弾性体１４の両端に、それぞれ、一つの結合部１４１が形成してある。この結合部１４１は接続ユニット１５の第一端１５１に配置され、弾性体１４は両側の接続ユニット１５の間を繋いでいる。しかも、弾性体１４はハンドル１３の収容空間１３１内に位置決めされて収まっている。弾性体１４はハンドル１３とは異なる色を採用してもよい。ハンドル１３の貫通孔１３４を通して、収容空間１３１の中における弾性体１４を目視で見ると、はっきり識別できる効果がある。
【００１９】
図１乃至図４は、ツールボックス１０を提げていない状態、即ち、置かれている状態を示す。二つの接続ユニット１５の間に介入される弾性体１４はいつも力を施して、二つの接続ユニット１５を内側（二つの接続ユニット１５の中間の方向）へ引き寄せる。二つの接続ユニット１５が内側に引き寄せられて倒れて水平とされることによって、ハンドル１３は自動的に第一殻体１１に寄せられてこれに貼りつくように当接させられる。
【００２０】
これによって、ハンドル１３が揺らぎ動くことが起きず、ハンドル１３が揺らぎ動くことが原因で発生する騒音が避けられる。また、ハンドル１３が第一殻体１１に貼りつくように当接していることによって、ツールボックス１０の外観は美しくなって、産業の競争力が増す。
【００２１】
図５はツールボックス１０を提げた場合を示す。
【００２２】
ツールボックス１０を提げる場合には、単に、ハンドル１３を掴んで引き上げる。この操作によって、二つの接続ユニット１５が弾性体１４の収縮力を克服するので、ハンドル１３と第一殻体１１との間に、ある距離を保持する。即ち、ハンドル１３を掴んで引き上げると、二つの接続ユニット１５が弾性体１４を延ばしつつ固定台座１６側を中心に立ち上がり、ハンドル１３が第一殻体１１から離されて、第一殻体１１との間に、ある距離を保持する。これにより、ユーザは利便にハンドル１３を提げて、優れた実用な設計であることを認識できる。
【００２３】
以上の内容をまとめると，本考案は，以下の利点を有する。
（ア）自動にしっかりかけられるハンドルを持つツールボックスにおいて、ハンドルの中に，二つの接続ユニットを繋ぐ弾性体が設けられる。これによって、ハンドルが自動的に第一殻体にしっかり貼り付くように当接する力を提供することができ、美観かつ高い品質を持つツールボックスが得られる。
（イ）自動にしっかりかけられるハンドルを持つツールボックスにおいて、弾性体は異なる色を採用してもよい。ハンドルの貫通孔を経由して，収容空間の中における弾性体を目視で見ると、はっきり識別できる効果がある。
（ウ）自動にしっかりかけられるハンドルを持つツールボックスは余計なロックユニットの追加がいらないので、有効的に生産コストの増加を避けて、気に入る構成となる。
【００２４】
以上、本考案の好ましい実施の形態について詳述したが、本考案はかかる特定の実施の形態に限定されるものではなく、特許請求の範囲内に記載された本考案の要旨の範囲内において、種々の変形・変更が可能である。
【図面の簡単な説明】
【００２５】
【図１】本考案のツールボックスの立体外観図である。
【図２】本考案のハンドルの正面図である。
【図３】本考案のハンドルの横断面図である。
【図４】本考案のハンドルの透視図である。
【図５】本考案のハンドルの使用状態を示す図である。
【図６】従来のツールボックスのハンドルの構造を示す横断面図である。
【図７】図６のハンドルの一つの状態を示す図である。
【符号の説明】
【００２６】
１０    ツールボックス
１１    第一殻体
１１１  ロック台座
１２    第二殻体
１２１  ロックユニット
１３    ハンドル
１３１  収容空間
１３２  スライド溝
１３３  突出部
１３４  貫通孔
１４    弾性体
１４１  結合部
１５    接続ユニット
１５１  第一端
１５２  第二端
１６    固定台座
【図１】
0003120740.tif 000003
【図２】
0003120740.tif 000004
【図３】
0003120740.tif 000005
【図４】
0003120740.tif 000006
【図５】
0003120740.tif 000007
【図６】
0003120740.tif 000008
【図７】
0003120740.tif 000009